(57)【要約】      （修正有）【課題】特段の経験や技量を要することなく精密な色彩画を容易に完成させることができる塗り絵玩具セットを提供する。【解決手段】特定の色彩画の線画Ｌのみが描かれた描画面１１を有する下地材１０と、複数色の着色具２０（絵具２１・２２・２３・２４及び絵筆２５・２６）とを備え、線画Ｌの内部領域に着色具２０で着色を施して色彩画を完成させることを可能とする塗り絵玩具セット１である。線画Ｌに含まれる複数の閉領域の各々に数字（１・２・３・４）が記されているとともに各数字と着色具２０の各色とが１対１に対応付けられている。【選択図】図１
0003168987.tif 000002
【実用新案登録請求の範囲】
【請求項１】
特定の色彩画の線画のみが描かれた描画面を有する下地材と、複数色の着色具と、を備え、前記線画の内部領域に前記着色具で着色を施して前記色彩画を完成させることを可能とする塗り絵玩具セットであって、
前記線画に含まれる複数の閉領域の各々に数字が記されているとともに前記各数字と前記着色具の各色とが１対１に対応付けられている、
塗り絵玩具セット。
【請求項２】
前記下地材は、紙で構成された描画面を有する、
請求項１に記載の塗り絵玩具セット。
【請求項３】
前記下地材は、布で構成された描画面を有する、
請求項１に記載の塗り絵玩具セット。
【請求項４】
前記下地材は、板部材又は枠部材に布材が貼着されてなるキャンバスである、
請求項３に記載の塗り絵玩具セット。
【請求項５】
前記着色具は、絵具と、前記下地材に前記絵具を塗布するための塗布用具と、から構成される、
請求項１から４の何れか一項に記載の塗り絵玩具セット。
【請求項６】
前記絵具は、水性絵具である、
請求項５に記載の塗り絵玩具セット。
【請求項７】
前記絵具は、油性絵具である、
請求項５に記載の塗り絵玩具セット。
【請求項８】
前記絵具は、アクリル絵具である、
請求項６又は７に記載の塗り絵玩具セット。
【請求項９】
前記着色具は、塗料と、前記下地材に前記塗料を塗布するための塗布用具と、から構成される、
請求項１から４の何れか一項に記載の塗り絵玩具セット。
【請求項１０】
前記塗料は、溶剤型塗料である、
請求項９に記載の塗り絵玩具セット。
【請求項１１】
前記塗料は、粉末型塗料である、
請求項９に記載の塗り絵玩具セット。
【請求項１２】
前記着色具は、クレヨンである、
請求項１から４の何れか一項に記載の塗り絵玩具セット。
【請求項１３】
前記着色具は、色鉛筆である、
請求項１から４の何れか一項に記載の塗り絵玩具セット。
【請求項１４】
前記下地材及び前記着色具を収納するための箱体をさらに備え、前記箱体の少なくとも一部が透明にされてなる、
請求項１から１３の何れか一項に記載の塗り絵玩具セット。
【請求項１５】
前記下地材及び前記着色具を収納するための袋体をさらに備え、前記袋体の少なくとも一部が透明にされてなる、
請求項１から１３の何れか一項に記載の塗り絵玩具セット。
【請求項１６】
少なくとも一部が透明な包装フィルムによって前記下地材及び前記着色具が包装されてなる、
請求項１から１３の何れか一項に記載の塗り絵玩具セット。
【考案の詳細な説明】
【技術分野】
【０００１】
本考案は、塗り絵玩具セットに関する。
【背景技術】
【０００２】
従来より、所定の図柄（線図）の内部領域を色鉛筆やクレヨンで塗りつぶして特定の色彩画を完成させるようにした遊戯具（以下、「塗り絵玩具」という）が提案され、実用化されている。
【０００３】
現在においては、表示装置に表示された図柄の内部領域にマウスやタッチペン等のポインティングデバイスを用いて所望の着色を施すことを可能にした、コンピュータを用いた塗り絵玩具が提案されている（特許文献１参照）。また、従来の塗り絵玩具の派生型として、白色の立体模型の任意の部分に複数の絵具を用いて任意の色彩を容易に施すことを可能にした玩具セットも提案されている（特許文献２参照）。
【先行技術文献】
【特許文献】
【０００４】
【特許文献１】特開２００３−８５５７１号公報
【特許文献２】実用新案登録第３０６２６７１号公報
【考案の概要】
【考案が解決しようとする課題】
【０００５】
ところで、近年においては、定年退職を経たシニア層向けの塗り絵玩具の開発が進められている。このようなシニア層向けの塗り絵玩具としては、いわゆる名画をモチーフにして作成した図柄の内部を塗りつぶして精密な色彩画を完成させるものが提案されている。
【０００６】
ところが、現在提案されているシニア層向けの塗り絵玩具は、下地材の表面に描かれた図柄の内部領域に任意の色彩を施すものであるため、完成された色彩画の出来栄えは、遊戯者の技量に委ねられることとなる。従って、特段の経験や技量を有しない遊戯者にとって、このような本格的な塗り絵玩具は使用し難く、満足のいく色彩画を完成させるのは容易ではなかった。
【０００７】
本考案は、かかる事情に鑑みてなされたものであり、特段の経験や技量を要することなく精密な色彩画を容易に完成させることができる塗り絵玩具セットを提供することを目的とする。
【課題を解決するための手段】
【０００８】
前記目的を達成するため、本考案に係る塗り絵玩具セットは、特定の色彩画の線画のみが描かれた描画面を有する下地材と、複数色の着色具と、を備え、線画の内部領域に着色具で着色を施して色彩画を完成させることを可能とする塗り絵玩具セットであって、線画に含まれる複数の閉領域の各々に数字が記されているとともに各数字と着色具の各色とが１対１に対応付けられているものである。
【０００９】
かかる構成を採用すると、下地材の描画面に描かれた線画に含まれる第一の閉領域に、第一の閉領域に記された数字（例えば「１」）に対応付けられた色（例えば「緑色」）の着色具で着色を施すことができる。また、第一の閉領域の数字とは異なる数字（例えば「２」）が記された第二の閉領域には、その異なる数字に対応付けられた異なる色（例えば「黄緑色」）の着色具で着色を施すことができる。このように、線画に含まれる複数の閉領域の各々に、各閉領域に記された数字に対応する色の着色具で着色を施すだけで、特定の色彩画を容易に完成させることができる。従って、本塗り絵玩具セットを採用すると、いわゆる名画やお気に入りのカラー写真にきわめて近い色彩画を、特段の経験や技量を要することなく容易に完成させることが可能となる。
【００１０】
本考案に係る塗り絵玩具セットにおいて、紙で構成された描画面を有する下地材を採用することができる。また、布で構成された描画面を有する下地材（例えば、板部材又は枠部材に布材が貼着されてなるキャンバス）を採用することもできる。
【００１１】
また、本考案に係る塗り絵玩具セットにおいて、絵具と、下地材に絵具を塗布するための塗布用具（例えば絵筆）と、から構成される着色具を採用することができる。絵具としては、水性絵具や油性絵具（例えばアクリル絵具）を採用することができる。また、絵具に代えて、塗料全般（溶剤型塗料、粉末型塗料等）を採用してもよい。
【００１２】
また、本考案に係る塗り絵玩具セットにおいて、着色具としてクレヨンや色鉛筆を採用することもできる。
【００１３】
また、本考案に係る塗り絵玩具セットにおいて、下地材及び着色具を収納する箱体又は袋体をさらに備え、この箱体又は袋体の少なくとも一部を透明にすることもできる。また、少なくとも一部が透明な包装フィルムによって下地材及び着色具を包装することもできる。
【００１４】
かかる構成を採用すると、下地材及び着色具をひとまとめにして展示や販売に供することができる。そして、下地材及び着色具を収容（包装）する箱体・袋体（包装フィルム）の一部を透明にすることにより、下地材や着色具を外部から視認することを可能とし、消費者の購買意欲を高めることができる。
【考案の効果】
【００１５】
本考案によれば、特段の経験や技量を要することなく精密な色彩画を容易に完成させることができる塗り絵玩具セットを提供することが可能となる。
【図面の簡単な説明】
【００１６】
【図１】本発明の実施形態に係る塗り絵玩具セットの構成を説明するための説明図である。
【図２】図１に示す塗り絵玩具セットの下地材の描画面に描かれた線画と、線画の各閉領域に記された数字に対応する色と、を説明するための説明図である。
【図３】図２に示す線画の各閉領域に着色を施して色彩画を完成させた状態を示す図である。
【考案を実施するための形態】
【００１７】
以下、図面を参照して、本考案の実施形態に係る塗り絵玩具セット１について説明する。
【００１８】
まず、本実施形態に係る塗り絵玩具セット１の構成について説明する。塗り絵玩具セット１は、図１に示すように、特定の色彩画（図３に示すチューリップの色彩画）Ｄの線画Ｌのみが描かれた描画面１１を有する下地材１０と、複数色の着色具２０と、下地材１０及び着色具２０を収納する箱体３０と、を備えている。塗り絵玩具セット１は、線画Ｌの内部領域に着色具２０で着色を施して色彩画Ｄを完成させることを可能とするものである。
【００１９】
本実施形態における下地材１０は、図示されていない木製の板部材に布材が貼着されて構成されたキャンバスを採用しており、下地材１０の描画面１１は布で構成されている。なお、木製の板部材に代えて、木材、合成樹脂材料、金属材料等で構成された枠部材を採用することもできる。下地材１０の描画面１１に描かれた線画Ｌには、図２に示すように、複数の閉領域Ｌ1・Ｌ2・Ｌ3・Ｌ4が含まれており、これら閉領域Ｌ1・Ｌ2・Ｌ3・Ｌ4の各々には異なる数字（１・２・３・４）が記されている。
【００２０】
本実施形態における着色具２０は、図１に示すように、４色の水性アクリル絵具２１・２２・２３・２４と、これら４色の水性アクリル絵具２１・２２・２３・２４を下地材１０に塗布するための塗布用具としての２本の絵筆２５・２６と、から構成されている。
【００２１】
第一の水性アクリル絵具２１は「緑色」の絵具であり、線画Ｌの第一の閉領域Ｌ1に記された数字「１」に対応付けられている。第二の水性アクリル絵具２２は「黄緑色」の絵具であり、線画Ｌの第二の閉領域Ｌ2に記された数字「２」に対応付けられている。第三の水性アクリル絵具２３は「赤色」の絵具であり、線画Ｌの第三の閉領域Ｌ3に記された数字「３」に対応付けられている。第四の水性アクリル絵具２４は「オレンジ色」の絵具であり、線画Ｌの第四の閉領域Ｌ4に記された数字「４」に対応付けられている。
【００２２】
箱体３０は、図１に示すように、略直方体状に形成されており、下地材１０及び着色具２０（４色の水性アクリル絵具２１・２２・２３・２４及び２本の絵筆２５・２６）を収納することができる大きさを有している。箱体３０は、合成樹脂材料や紙材料等で構成することができる。箱体３０の一方の広い面３１の大部分は、透明な材料（例えば透明な合成樹脂材料）で構成されている。
【００２３】
次に、本実施形態に係る塗り絵玩具セット１の使用方法について説明する。
【００２４】
まず、遊戯者は、箱体３０から下地材１０及び着色具２０を取り出す。そして、遊戯者は、下地材１０の描画面１１に描かれた線画Ｌの各閉領域Ｌ1・Ｌ2・Ｌ3・Ｌ4に着色具２０で着色を施していく。
【００２５】
この際、遊戯者は、線画Ｌの第一の閉領域Ｌ1に記された数字「１」に対応する「緑色」の第一の水性アクリル絵具２１を、絵筆２５（２６）を用いて第一の閉領域Ｌ1に塗布する。これにより、第一の閉領域Ｌ1は緑色で塗りつぶされる。
【００２６】
次に、遊戯者は、線画Ｌの第二の閉領域Ｌ2に記された数字「２」に対応する「黄緑色」の第二の水性アクリル絵具２２を、絵筆２５（２６）を用いて第二の閉領域Ｌ2に塗布する。これにより、第二の閉領域Ｌ2は黄緑色で塗りつぶされる。
【００２７】
続いて、遊戯者は、線画Ｌの第三の閉領域Ｌ3に記された数字「３」に対応する「赤色」の第三の水性アクリル絵具２３を、絵筆２５（２６）を用いて第三の閉領域Ｌ3に塗布する。これにより、第三の閉領域Ｌ3は赤色で塗りつぶされる。
【００２８】
最後に、遊戯者は、線画Ｌの第四の閉領域Ｌ4に記された数字「４」に対応する「オレンジ色」の第四の水性アクリル絵具２４を、絵筆２５（２６）を用いて第四の閉領域Ｌ4に塗布する。これにより、第四の閉領域Ｌ4はオレンジ色で塗りつぶされる。
【００２９】
以上の各工程を経ることにより、遊戯者は、図３に示すような色彩画Ｄを完成させることができる。
【００３０】
以上説明した実施形態に係る塗り絵玩具セット１においては、下地材１０の描画面１１に描かれた線画Ｌに含まれる第一の閉領域Ｌ1に、第一の閉領域Ｌ1に記された数字（１）に対応付けられた色（緑色）の第一の水性アクリル絵具２１を塗布して着色を施すことができる。また、第一の閉領域Ｌ1の数字とは異なる数字（２・３・４）が記された第二・第三・第四の閉領域Ｌ2・Ｌ3・Ｌ4には、その異なる数字（２・３・４）に対応付けられた異なる色（黄緑色、赤色、オレンジ色）の第二・第三・第四の水性アクリル絵具２２・２３・２４を塗布して着色を施すことができる。このように、線画Ｌに含まれる複数の閉領域の各々に、各閉領域に記された数字に対応する色の絵具で着色を施すだけで、特定の色彩画Ｄを容易に完成させることができる。従って、本実施形態に係る塗り絵玩具セット１を採用すると、いわゆる名画やお気に入りのカラー写真にきわめて近い色彩画を、特段の経験や技量を要することなく容易に完成させることが可能となる。
【００３１】
また、以上説明した実施形態に係る塗り絵玩具セット１においては、下地材１０及び着色具２０が箱体３０に収納されているので、下地材１０及び着色具２０をひとまとめにして展示や販売に供することができる。そして、下地材１０及び着色具２０を収容する箱体３０の一部（一方の広い面３１）を透明にしているので、下地材１０や着色具２０を外部から視認することを可能とし、消費者の購買意欲を高めることができる。
【００３２】
なお、以上説明した実施形態においては、木製の板部材に布材が貼着されてなるキャンバスを下地材１０として採用し、描画面１１を布で構成した例を示したが、所定面積を有する用紙を下地材として採用し、描画面を紙で構成することもできる。
【００３３】
また、以上説明した実施形態においては、着色具２０を構成する絵具として、水性アクリル絵具（２１・２２・２３・２４）を採用した例を示したが、これに代えて油性アクリル絵具を採用することもできる。また、絵具の種類はアクリル絵具に限られるものではなく、各種水性絵具や各種油性絵具を採用することができる。
【００３４】
また、以上説明した実施形態においては、絵具（水性アクリル絵具２１・２２・２３・２４）と塗布用具（絵筆２５・２６）とから構成される着色具２０を採用した例を示したが、絵具に代えて塗料（溶剤型塗料や粉末型塗料）を採用することもできる。また、着色具として、クレヨンや色鉛筆を採用することができ、さらに、クレヨンと色鉛筆を融合させたプラスチック色鉛筆等を採用することもできる。また、絵具、塗料、クレヨン、色鉛筆等を適宜組み合わせて着色具を構成してもよい。
【００３５】
また、以上説明した実施形態においては、下地材１０及び着色具２０を収納する箱体３０を採用した例を示したが、箱体３０に代えて袋体を採用し、この袋体の少なくとも一部を透明にすることもできる。また、少なくとも一部が透明な包装フィルムによって下地材１０及び着色具２０を包装してもよい。
【００３６】
その他、本の趣旨を逸脱しない範囲内において種々の設計変更を行うことができるのは勿論である。
【符号の説明】
【００３７】
１…塗り絵玩具セット
１０…下地材
１１…描画面
２０…着色具
２１…水性アクリル絵具（緑色）
２２…水性アクリル絵具（黄緑色）
２３…水性アクリル絵具（赤色）
２４…水性アクリル絵具（オレンジ色）
２５…絵筆（塗布用具）
２６…絵筆（塗布用具）
３０…箱体
Ｄ…色彩画
Ｌ…線画
【図１】
0003168987.tif 000003
【図２】
0003168987.tif 000004
【図３】
0003168987.tif 000005